(57)【要約】【課題】異なる電源電圧に接続可能に構成された複電圧型のモータ駆動圧縮機において，実際に入力される電源電圧と，圧縮機側における設定電圧とに不一致が生じた状態で運転されることを防止する。【解決手段】圧縮機本体２を駆動する駆動用モータＭの電機子コイルの結線を変更することで前記駆動用モータＭの定格電圧を可変とし，この結線の変更により変更可能な定格電圧（図示の例では２００Ｖ，４００Ｖ）に対応してそれぞれ割り当てられた切替位置を有すると共に，前記電機子コイルの結線を組み替える結線切替スイッチ１０を設け，該検出された電源電圧と，前記結線切替スイッチ１０によって選択された切替位置とが不一致のとき，開閉器５２（５２ａ，５２ｂ）等によって電磁弁４３，ファンモータ６，電磁開閉器７１〜７３等の圧縮機の構成機器に対する操作電圧の出力を停止する等して圧縮機を始動不能とする安全装置５０を設ける。【選択図】図１
2008154404.tif 000002
【特許請求の範囲】
【請求項１】
圧縮機本体を駆動する駆動用モータの電機子コイルの結線を変更することで，前記駆動用モータの定格電圧を可変と成すと共に，前記駆動用モータの定格電圧の変更に伴って，前記定格電圧に対応した電源に選択的に接続可能とした複電圧仕様のモータ駆動型圧縮機において，
前記駆動用モータにおいて変更可能な定格電圧に対応してそれぞれ割り当てられた切替位置を有すると共に，前記各切替位置に切り替えた際，各切替位置に対応する定格電圧と成す結線に前記電機子コイルの結線を組み替える結線切替スイッチを設け，
電源より入力された電圧を検出し，該検出された電源電圧と，前記結線切替スイッチによって選択された切替位置とが不一致のとき，圧縮機の始動を不能とすることを特徴とする複電圧仕様のモータ駆動圧縮機の駆動制御方法。
【請求項２】
前記圧縮機の構成機器に対して操作電圧を出力する操作電圧出力回路を設け，前記検出された電源電圧と，前記結線切替スイッチによって選択された切替位置とが不一致のとき，前記圧縮機の構成機器に対する操作電圧の出力を停止して，前記圧縮機の始動を不能としたことを特徴とする請求項１記載の複電圧仕様のモータ駆動圧縮機の駆動制御方法。
【請求項３】
入力された電源電圧を検出し，検出された前記電源電圧が前記圧縮機の構成機器の定格電圧と一致するとき，前記電源電圧を操作電圧として出力し，検出された前記電源電圧が前記圧縮機の構成機器の定格電圧と一致しないとき，電源電圧を前記構成機器の定格電圧に変圧して得た操作電圧を出力することを特徴とする請求項１又は２記載の複電圧仕様のモータ駆動圧縮機における駆動制御方法。
【請求項４】
前記操作電圧出力回路にトランスを設けると共に，該トランスをバイパスするバイパス回路を設け，
前記結線切替スイッチの切替により，電源電圧を前記バイパス回路を介して出力する結線と，電源電圧を前記トランスにより変圧して出力する結線とを組み替え可能としたことを特徴とする請求項２記載の複電圧仕様のモータ駆動圧縮機の駆動制御装置。
【請求項５】
圧縮機本体を駆動する駆動用モータの電機子コイルの結線を変更することで，前記駆動用モータの定格電圧を可変と成すと共に，前記駆動用モータの定格電圧の変更に伴って，前記定格電圧に対応した電源に選択的に接続可能とした複電圧仕様のモータ駆動型圧縮機において，
前記駆動用モータにおいて変更可能な定格電圧に対応してそれぞれ割り当てられた切替位置を有すると共に，前記各切替位置に切り替えた際，各切替位置に対応する定格電圧と成す結線に前記電機子コイルの結線を組み替える結線切替スイッチを設け，
電源より入力された電圧を検出する電源電圧検出手段と，該電源電圧検出手段が検出した電源電圧と，前記結線切替スイッチによって選択された切替位置とが不一致のとき，圧縮機の始動を不能とする手段を備えた安全装置を有することを特徴とする複電圧仕様のモータ駆動圧縮機の駆動制御装置。
【請求項６】
前記圧縮機の構成機器に対して操作電圧を出力する操作電圧出力回路を設け，
前記安全装置に設けた前記圧縮機の始動を不能とする手段として，前記電源電圧検出手段が検出した電源電圧と，前記結線切替スイッチによって選択された切替位置とが不一致のとき，前記圧縮機の構成機器に対する操作電圧の出力を停止する手段を前記操作電圧出力回路に設けたことを特徴とする請求項５記載の複電圧仕様のモータ駆動圧縮機の駆動制御装置。
【請求項７】
前記操作電圧出力回路にトランスを設けると共に，該トランスをバイパスするバイパス回路を設け，
前記電源電圧検出手段が検出した前記電源電圧が，前記圧縮機の構成機器の定格電圧と一致するとき，前記バイパス回路を介して前記電源電圧を操作電圧として出力し，前記電源電圧検出手段が検出した前記電源電圧が前記圧縮機の構成機器の定格電圧と一致しないとき，前記トランスを介して前記電源電圧を前記構成機器の定格電圧に変圧して得た操作電圧を出力する手段を備えることを特徴とする請求項５又は６記載の複電圧仕様のモータ駆動圧縮機における駆動制御装置。
【請求項８】
前記操作電圧出力回路にトランスを設けると共に，該トランスをバイパスするバイパス回路を設け，
前記結線切替スイッチの切替により，電源電圧を前記バイパス回路を介して出力する結線と，電源電圧を前記トランスにより変圧して出力する結線とを組み替え可能としたことを特徴とする請求項６記載の複電圧仕様のモータ駆動圧縮機の駆動制御装置。
【発明の詳細な説明】
【技術分野】
【０００１】
本発明は，圧縮機本体を駆動する駆動用モータの各相の電機子コイルの結線を，直列又は並列に組み替えることで，駆動用モータの定格電圧を変更可能とし，この定格電圧の変更に伴って，異なる電圧の電源に選択的に接続可能に構成された複電圧仕様のモータ駆動型圧縮機における駆動制御方法及び駆動制御装置に関する。
【背景技術】
【０００２】
圧縮機本体２を駆動する駆動源として三相モータＭを備えたモータ駆動型圧縮機にあっては，外部電源３０からの電力の供給を受けて前記三相モータＭを駆動して，各種気体の圧縮を行うことができるように構成されている。
【０００３】
このようなモータ駆動型圧縮機では，この圧縮機の設置場所等の相違によって，確保し得る電源が異なり，また，このような電源の相違により，電源より得られる電圧が異なることから，異なる電圧を出力する電源に接続して運転することができるように，複数種類の電圧に対して対応可能に構成された，所謂「複電圧仕様」と呼ばれる圧縮機がある。
【０００４】
一例として，三相２００Ｖの低電圧と，三相４００Ｖの高電圧間で電圧の切り替えを行うことができるように構成された複電圧仕様のモータ駆動圧縮機を例にとって説明すると，電源電圧の変更に対して圧縮機本体２を駆動するモータＭを対応可能とするために，モータＭ内の電機子コイルの結線方法を変更可能としており，三相２００Ｖの低電圧の電源に接続する場合には，各相の電機子コイルを並列に接続し，三相４００Ｖの高電圧の電源に接続する場合には，各相の電機子コイルを直列に接続して，駆動用モータＭの定格電圧を可変としている。
【０００５】
また，このような圧縮機には，圧縮機本体２の吐出側圧力，図３に示す例にあってはレシーバタンク３内の圧力変化に伴って圧縮機本体２の吸入口を開閉制御する吸入弁４１や該吸入弁４１の作動圧室にレシーバタンク３内の圧縮気体を導入する管路４２，及び前記管路４２を開閉制御する電磁弁４３等からなる吸気制御装置４０が設けられ，また，該圧縮機が油冷式である場合には，レシーバタンク３内で回収された潤滑油を圧縮機本体２の給油口に供給する前にこれを冷却するオイルクーラ５に冷却風を導入するファンモータ６等が設けられ，さらには圧縮機の始動を制御する電磁開閉器（第１〜第３電磁開閉器７１，７２，７３）等が設けられているが，これらの機器の定格電圧と，電源より入力される電圧との間に差が生じている場合には，電源電圧をトランスＴｒによって変圧した後にこれらの機器に入力して，破損等が生じることを防止している。
【０００６】
そのため，圧縮機の駆動制御装置１中にトランスを設けると共に，電源電圧を前記トランスを介して変圧した後，前記電磁弁４３やファンモータ６等に出力する回路と，前記トランスをバイパスして電源電圧を直接，前記電磁弁４３やファンモータ６等の機器に出力する回路とを切り替え可能に設け，一例として前述の電磁弁４３やファンモータ６の定格電圧が２００Ｖである場合において，４００Ｖを出力する電源に圧縮機を接続する場合には，電源電圧をトランスを介して２００Ｖに減圧した後，前記電磁弁４３やファンモータ６等に出力するように構成している。
【０００７】
図４（Ａ）は，前述のように三相２００Ｖと三相４００Ｖ間で電源電圧を変更可能とした複電圧仕様の圧縮機において，これを三相２００Ｖで駆動する場合における結線状態を示したもので，モータＭに設けた電機子の各相を並列に接続するために，モータＭの電機子（回転子）Ｕ，Ｖ，Ｗの各端子ｕ１，ｖ１，ｗ１と，電機子（回転子）Ｕ２，Ｖ２，Ｗ２の各端子ｕ２，ｖ２，ｗ２とを短絡バーによって接続すると共に，モータＭの電機子（固定子）Ｙ１，Ｚ１，Ｘ１の各端子ｙ１，ｚ１，ｘ１と，電機子（固定子）Ｙ２，Ｚ２，Ｘ２の各端子ｙ２，ｚ２，ｘ２とを短絡バーによって接続している。
【０００８】
また，前述の電磁弁４３やファンモータ６等の圧縮機の構成機器の定格電圧を２００Ｖとし，電源に接続された回路（電源回路）Ｒ０，Ｓ０，Ｔ０の端子ｒ０，ｓ０，ｔ０を，トランスの出力端子Ｒｏｕｔ，Ｓｏｕｔ，Ｔｏｕｔにそれぞれ接続し，トランスをバイパスして電源からの三相２００Ｖの電圧を直接，前述した電磁弁４３やファンモータ６等の機器に入力できるように結線している。
【０００９】
一方，前述の通りに構成された圧縮機を三相４００Ｖで駆動する場合には，図５（Ａ）に示すようにモータＭの回転子U２，V２，W２の端子ｕ２，ｖ２，ｗ２を，固定子Ｙ１，Ｚ１，Ｘ１に設けた端子ｙ１，ｚ１，ｘ１にそれぞれ接続して，モータの電機子を直列の接続とし，また，電源回路Ｒ０，Ｓ０，Ｔ０の端子ｒ０，ｓ０，ｔ０をトランスの入力側端子Ｒｉｎ，Ｓｉｎ，Ｔｉｎにそれぞれ接続し，電源からの４００Ｖの電圧をトランスを介して２００Ｖに変圧した後，前述した電磁弁４３やファンモータ６等の機器に出力するように構成している。
【００１０】
なお，図４（Ａ）及び図５（Ａ）に示す圧縮機において，始動盤にはモータＭの電機子に対する通電を制御する第１の電磁開閉器７１と，モータＭの電機子をデルタ結線と成す第２の電磁開閉器７２，及びスター結線と成す第３の電磁開閉器７３が設けられており，圧縮機に設けられた始動スイッチをＯＮにすると，第１の電磁開閉器７１及び第３の電磁開閉器７３が接点を閉じ，モータＭの電機子をスター結線とした状態で始動し，その後，タイマ等による所定時間のカウントが経過すると，前記第３の電磁開閉器７３が接点間を開くと共に，前記第２の電磁開閉器７２が接点間を閉じてモータＭの電機子をデルタ結線と成すように構成されており，モータをスター・デルタ始動することができるように構成されている。
【００１１】
もっとも，本発明が適用される圧縮機のモータの起動方法は，前記スター・デルタ起動に限定されず，全電圧起動法，起動補償器法等の既知の各種の起動法によって起動しても良く，この場合には各起動法に対応した回路構成のものが対象となる。
【００１２】
なお，圧縮機を停止するときには，圧縮機制御装置に設けたＯＦＦスイッチを操作し，これにより始動盤の第１電磁開閉器７１と第２電磁開閉器７２が接点間を開いてモータＭに対する通電が停止し，これによって圧縮機が停止する。
【００１３】
以上で説明した複電圧仕様の圧縮機にあっては，接続する電源の電圧に応じて，モータＭに設けた電機子コイルの結線状態と，トランスに対する結線状態とを変更することが必要となるが，このような結線の変更は，図４（Ｂ）（Ｃ）及び図５（Ｂ）（Ｃ）に示すように，電源電圧を変更する度に，前述の短絡バーや，短絡線によって，短絡する端子の組合せを変更することにより行っている。
【００１４】
なお，入力電圧を低電圧とする場合と，高電圧とする場合とで切り替え可能とした複電圧仕様の圧縮機において，図６に示すように１台の変圧器によって高電圧負荷（ファンモータ）と低電圧負荷（駆動用モータ）のいずれに対しても電力の供給を行うことができるようにするために，２００Ｖを供給する低電圧電源と，該低電圧電源に開閉手段を介して接続され，定格電圧が２００Ｖの駆動用モータ（低電圧負荷）と，４００Ｖを供給する高電圧源と，該高電圧源に開閉手段を介して接続され，定格電圧が４００Ｖに設定されたファンモータ（高電圧負荷）と，上記低電圧源に開閉手段を介して接続されると共にファンモータに接続されて２００Ｖを４００Ｖに変成する一方，上記高電圧電源に開閉手段を介して接続されると共に駆動用モータに接続されて高電圧電源の４００Ｖを２００Ｖに変成する変圧器を設け，４００Ｖの電源に接続した場合には開閉手段を操作して駆動用モータに変圧器で４００Ｖから２００Ｖに減圧した電圧を印加すると共にファンモータに４００Ｖの電源電圧を直接印加し，２００Ｖの電源を接続した場合には開閉手段を操作してコンプレッサ用モータに２００Ｖの電源電圧を直接印加すると共に，ファンモータに変圧器で２００Ｖから４００Ｖに接続した電圧を印加するように構成したものがある（特許文献１）。
【００１５】
この発明の先行技術文献情報としては次のものがある。
【特許文献１】特開平４−１２１０２５号公報
【発明の開示】
【発明が解決しようとする課題】
【００１６】
以上説明したように，複電圧仕様の圧縮機にあっては，電源電圧を変更する毎に圧縮機本体２を駆動するモータＭに設けた電機子コイルの結線を，直列−並列間で組み替えると共に，圧縮機に設けた電磁弁４３やファンモータ６，その他の機器に対して印加する操作電圧の出力を，トランスを介して，又はトランスをバイパスして行うことで，前記構成機器の定格電圧となるように調整して出力する必要があるが，このような電機子コイルの結線状態の変更や，出力する操作電圧の変更は，図４（Ｂ）（Ｃ）及び図５（Ｂ）（Ｃ）に示すように，端子台における短絡バーや短絡線の取り付け位置を変更することにより行っている。
【００１７】
そのため，従来の複電圧仕様の圧縮機にあっては，電源電圧を変更する度に前述の短絡バーや短絡線の取外し，及び取付け作業が必要であり，この作業が繁雑であると共に，短絡バーや短絡線の取付位置を間違い易い。
【００１８】
そして，誤った位置に短絡バーや短絡線を取り付けて圧縮機を起動すれば，圧縮機本体２の駆動用モータＭが始動しないだけでなく，前述した電磁弁４３やファンモータ６等，圧縮機に設けられた各種機器に対し，これらの機器の定格電圧とは異なる電圧が入力されることとなり，特に定格電圧に比較して高電圧が印加される場合には，これらの機器が破損するおそれがある。
【００１９】
なお，前述の特許文献１として紹介した圧縮機では，低圧電源と低圧負荷（駆動用モータ）との間に設けた開閉手段と，高電圧源と高電圧負荷（ファンモータ）との間に設けた開閉手段という２つの開閉手段の操作で該圧縮機を駆動する電圧の切り替えを可能としており，図４及び図５を参照して説明した従来技術のように，短絡バーや短絡線を付け直す手間は省けるものとなっているが，圧縮機に接続されている電源の電圧と，前記２つの開閉手段による切り替え状態とが対応していなければ，圧縮機本体の駆動用モータやファンモータに対して，これらの機器の作動電圧とは異なる電圧が印加されて，故障や破損等が生じるという問題は解消されていない。
【００２０】
そこで本発明は，上記従来技術における欠点を解消するためになされたものであり，複電圧仕様のモータ駆動圧縮機において，電源電圧の変更に伴う結線の切り替え作業が極めて容易であると共に，結線を間違えることがなく，かりに電源電圧に対応していない結線が行われている場合であっても，駆動用モータＭや圧縮機に設けた各種の機器，例えば電磁弁４３やファンモータ６，起動制御用の電磁開閉器７１〜７３等が破損することを防止できる，複電圧仕様のモータ駆動圧縮機における駆動制御方法及び駆動制御装置を提供することを目的とする。
【課題を解決するための手段】
【００２１】
上記目的を達成するために，本発明の複電圧仕様のモータ駆動型圧縮機における駆動制御方法及び前記駆動制御方法を実現する駆動制御装置１は，圧縮機本体２を駆動する駆動用モータＭの電機子コイルの結線を変更することで，前記駆動用モータＭの定格電圧を可変と成すと共に，前記駆動用モータＭの定格電圧の変更に伴って，前記定格電圧に対応した電源に選択的に接続可能とした複電圧仕様のモータ駆動型圧縮機において，
前記駆動用モータＭにおいて変更可能な定格電圧（図示の例では２００Ｖ，４００Ｖ）に対応してそれぞれ割り当てられた切替位置を有すると共に，前記各切替位置に切り替えた際，各切替位置に対応する定格電圧と成す結線に前記電機子コイルの結線を組み替える結線切替スイッチ，例えばカムスイッチ１０を設け，
電源３０より入力された電圧を電圧検出リレー５１等の検出手段で検出し，該検出された電源電圧と，前記結線切替スイッチ（カムスイッチ１０）によって選択された切替位置とが不一致のとき，例えば開閉器５２（５２ａ，５２ｂ）等の手段によって通電を遮断する等して圧縮機の始動を不能とする安全装置５０を設けることを特徴とする（請求項１，５）。
【００２２】
前記駆動制御方法において，前記圧縮機の構成機器（例えば電磁弁４３，ファンモータ６，電磁開閉器７１〜７３）に対して操作電圧を出力する操作電圧出力回路（図示の例では，電源回路Ｒ０，Ｓ０，Ｔ０と前記構成機器間を接続するバイパス回路Ｒ０１，Ｓ０１，Ｔ０１及び回路Ｒ０２，Ｓ０２，Ｔ０２）を設け，前記検出された電源電圧と，前記結線切替スイッチ（カムスイッチ１０）によって選択された切替位置とが不一致のとき，前記圧縮機の構成機器（例えば電磁弁４３，ファンモータ６，電磁開閉器７１〜７３）に対する操作電圧の出力を例えば開閉器５２（５２ａ，５２ｂ）によって停止して，前記圧縮機の始動を不能としても良い（請求項２，６）。
【００２３】
さらに，前記圧縮機の構成機器に対して出力される操作電圧を，これらの機器の定格電圧と一致させるために，入力された電源電圧を電圧検出リレー５１によって検出し，検出された前記電源電圧が前記圧縮機の構成機器の定格電圧と一致するとき，図示の例では開閉器５２（５２ａ，５２ｂ）の開閉でリレーＭＣ１を励磁して開閉器ｍｃ１を閉じ、バイパス回路Ｒ０１，Ｓ０１，Ｔ０１を介して前記電源電圧を操作電圧として出力し，検出された前記電源電圧が前記圧縮機の構成機器の定格電圧と一致しないとき，図示の例では開閉器５２（５２ａ，５２ｂ）の開閉でリレーＭＣ２を励磁して開閉器ｍｃ２を閉じてトランスＴｒ１を経由して電源電圧を前記構成機器の定格電圧に変圧して得た操作電圧を出力するようにすることができる（請求項３，７；図１参照）。
【００２４】
また，同様の前記操作電圧を圧縮機の構成機器の定格電圧と一致させるために，前記操作電圧出力回路にトランスＴｒ１を設けると共に，該トランスＴｒ１をバイパスするバイパス回路Ｒ０１，Ｓ０１，Ｔ０１を設け，
前記結線切替スイッチ（カムスイッチ１０）の切替により，電源電圧を前記バイパス回路Ｒ０１，Ｓ０１，Ｔ０１を介して出力する結線と，電源電圧を前記トランスＴｒ１により変圧して出力する結線とを組み替え可能としても良い（請求項４，８；図２参照）。
【発明の効果】
【００２５】
以上説明した本発明の構成により，本発明の複電圧型モータ駆動圧縮機の駆動制御方法及び駆動制御装置は，以下の顕著な効果を有する。
【００２６】
電源電圧と，結線切替スイッチ（カムスイッチ１０）により切り替えられた結線状態とが一致しない場合には，圧縮機を始動不能とする安全装置５０を設けたことから，電源電圧と圧縮機の設定との間に不一致が生じ，また，このような不一致が生じた状態で圧縮機が運転されることを確実に防止することができた。
【００２７】
このような圧縮機の始動不能を，圧縮機の構成機器，例えば吸気制御用の電磁弁４３やファンモータ６，始動制御用の電磁開閉器７１〜７３等に対して操作電圧の出力を行わないことにより実現する場合には，圧縮機のこれらの構成機器に対して定格電圧とは異なる電圧の入力が行われることを防止でき，これらの機器が破損等することを好適に防止することができた。
【００２８】
さらに，検知した電源電圧に対応して，電源電圧をそのまま，又は変圧して操作電圧として出力することにより，出力される操作電圧を圧縮機の構成機器の定格電圧に確実に対応させることができた。
【００２９】
また，操作電圧の切替を結線切替スイッチ（カムスイッチ１０）に行わせる場合には，電圧検出リレーや開閉器等の使用個数を減らすことができ，装置構成を比較的簡易なものとすることができた。
【発明を実施するための最良の形態】
【００３０】
次に，本発明の実施例を添付図面を参照しながら以下説明する。
【００３１】
〔実施例１〕
本発明の複電圧型モータ駆動圧縮機において，本発明の電圧切り替え方法を実施する駆動制御装置１の構成例を図１に示す。
【００３２】
図４及び図５を参照して説明した従来の複電圧式モータ駆動型圧縮機の駆動制御装置１では，モータＭに設けた電機子コイルの結線切り替え，及び，トランスＴｒ１に対する結線の切り替えを，いずれも端子台に設けた各端子間を短絡する短絡バー又は短絡線の付け替えにより行うものとしていたが，図１に示す本発明の複電圧型モータ駆動圧縮機の駆動制御装置１にあっては，この構成に代えて結線切替スイッチとして，高圧位置と低圧位置の２つの切替位置を持つカムスイッチ１０を設け，該カムスイッチ１０による切り替えにより，前記モータＭの電機子コイルに対する結線の切り替えを一度に行うことができるように構成している。
【００３３】
また，トランスＴｒ１に対する結線を切り替え可能とするために，電源電圧を検出する電源検出リレー５１及びこの電源検出リレー５１の動作で開閉する開閉器５２（５２ａ，５２ｂ）と，電源Ｒ，Ｓ，Ｔにそれぞれ接続された回路（電源回路）Ｒ０，Ｓ０，Ｔ０と，トランスＴｒ１の入力側端子Ｒｉｎ，Ｓｉｎ，Ｔｉｎに接続された回路Ｒ０２，Ｓ０２，Ｔ０２とをそれぞれ設けると共に，前記電源回路Ｒ０，Ｓ０，Ｔ０をトランスＴｒ１の出力端子Ｒｏｕｔ，Ｓｏｕｔ，Ｔｏｕｔにそれぞれ接続するバイパス回路Ｒ０１，Ｓ０１，Ｔ０１をそれぞれ設け，前記回路Ｒ０２，Ｓ０２，Ｔ０２を同時に開閉する三路用の開閉器ｍｃ２と，前記バイパス回路Ｒ０１，Ｓ０１，Ｔ０１を同時に開閉する三路用の開閉器ｍｃ１と，前記開閉器５２（５２ａ，５２ｂ）の開閉で前記開閉器ｍｃ１，ｍｃ２の開閉を制御するリレーＭＣ１，ＭＣ２とを設け，電源電圧に基づいて電源回路Ｒ０，Ｓ０，Ｔ０が，トランスＴｒ１の入力端子Ｒｉｎ，Ｓｉｎ，Ｔｉｎ，又は出力側端子Ｒｏｕｔ，Ｓｏｕｔ，Ｔｏｕｔのいずれかに対して接続可能とした点において相違している。
【００３４】
また，本発明の複電圧型モータ駆動圧縮機の駆動制御装置１にあっては，電源３０から供給された電圧が，低電圧（本実施例では２００Ｖ）であるか，高電圧（本実施例では４００Ｖ）であるかを検出し，この検出された電圧と，前記カムスイッチ１０によって切り替えられた結線状態とが不一致の場合，電磁弁４３やファンモータ６等の圧縮機の構成機器に対して，これらを操作するための操作電圧の出力を停止する安全装置５０を設けた点において図４及び図５を参照して説明した従来の複電圧型モータ駆動圧縮機の駆動制御装置１とは異なる。
【００３５】
なお，図１に示した本実施例の回路構成において，その他の構成については図４及び図５を参照して説明した従来の複電圧型モータ駆動圧縮機における電圧制御装置と共通であるため説明を省略する。
【００３６】
〔カムスイッチ〕
前述のように，圧縮機本体２の駆動用モータＭに設けた電機子コイルの結線状態を変更すると共に，トランスＴｒ１に対する結線状態を変更するために本発明の駆動制御装置１に結線切替スイッチとして設けた前述のカムスイッチ１０は，複数の接点，本実施例では１〜２２番接点を有し，カムスイッチ１０に設けられたカム接点を，高圧−低圧の二種類の出力形式に対応した二位置間で切り替えることにより，偶数番の接点と奇数番の接点間で，所定の組合せパターンで開閉が行われるように構成されている。
【００３７】
本実施形態にあっては，カムスイッチの１〜１８番接点を，前記モータＭに設けた電機子コイルの直列・並列間での結線状態の切り替えに使用し，１９〜２２番接点をトランスＴｒ１に対する結線状態の切り替えのために使用している。
【００３８】
図示の実施例では，カムスイッチ１０に設けられたレバーを三相２００Ｖの低圧位置とすると，このカムスイッチ１０に設けた１−２，５−６，７−８，１１−１２，１３−１４，１７−１８，１９−２０番の各接点間が閉じて電気的に接続されると共に，３−４，９−１０，１５−１６，２１−２２番の各接点間が開いて，これらの接点間の通電が停止するように構成されている。
【００３９】
一方，カムスイッチ１０の前記レバーを４００Ｖの位置に切り替えると，前記２００Ｖを選択した場合とは逆に，３−４，９−１０，１５−１６，２１−２２番の接点間が閉じて電気的に接続されると共に，１−２，５−６，７−８，１１−１２，１３−１４，１７−１８，１９−２０番の各接点間が開いてこれらの接点間の通電を停止するように構成されている。
【００４０】
そして，このカムスイッチ１０の操作により，図４に示した低圧結線と，図５に示した高圧結線間で結線の切り替えを可能とするために，本実施例では前記カムスイッチ１０の２−４，３−５，８−１０，９−１１，１４−１６，１５−１７番の各接点間を短絡すると共に，１番接点に電機子Ｕの接点ｕ１を，２番及び４番接点に電機子Ｕ２の接点ｕ２を，３番及び５番接点に電機子Ｘ１の接点ｘ１を，６番接点に電機子Ｘ２の接点ｘ２及び第２電磁開閉器の６番接点を，７番接点に電機子Ｖ１の接点ｖ１を，８番及び１０番接点に電機子Ｖ２の接点ｖ２を，９番及び１１番接点に電機子Ｙ１の接点ｙ１を，１２番接点に電機子Ｙ２の接点ｙ２及び第２電磁開閉器の２番接点を，１３番接点に電機子Ｗ１の接点ｗ１を，１４番及び１６番接点に電機子Ｗ２の接点ｗ２を，１５番，１７番接点には電機子Ｚ１の接点ｚ１を，１８番接点には電機子Ｚ２の接点ｚ２及び第２電磁開閉器の４番接点をそれぞれ接続している。
【００４１】
この接続により，カムスイッチ１０において２００Ｖを選択すると，Ｕ−Ｕ２，Ｖ−Ｖ２，Ｗ−Ｗ２，及び，Ｙ１−Ｙ２，Ｚ１−Ｚ２，Ｘ１−Ｘ２の各電機子が並列に接続されると共に，４００Ｖを選択すると，Ｕ−Ｕ２，Ｖ−Ｖ２，Ｗ−Ｗ２，及び，Ｙ１−Ｙ２，Ｚ１−Ｚ２，Ｘ１−Ｘ２の各電機子が直列に接続されるように構成されている。
【００４２】
また，１９番接点には電源Ｒに接続された電源回路Ｒ０を，２０番接点には電源Ｓに接続された電源回路Ｓ０を接続し，電源回路Ｒ０とＳ０間を接続する回路６１が，カムスイッチ１０の前記１９−２０番接点間の開閉により開閉可能に構成されている。
【００４３】
また，カムスイッチ１０の２１，２２番接点には，電圧検出用トランスＴｒ２の二次側コイルと並列を成す回路６２を接続し，カムスイッチ１０の操作により，前記２１−２２番接点によって前記回路６２を開閉可能に構成している。
【００４４】
〔トランスの結線状態切り替え機構〕
トランスＴｒに対する結線の切り替えは，電源回路Ｒ０，Ｓ０間を接続する回路６１に設けた電圧検出リレーＭＣ１と，電圧検出用トランスＴｒ２の二次側コイルと並列に設けられた回路６２に設けた電圧検出リレーＭＣ２によって，前述のバイパス回路Ｒ０１，Ｓ０１，Ｔ０１を開閉する開閉器ｍｃ１と，回路Ｒ０２，Ｓ０２，Ｔ０２を開閉する開閉器ｍｃ２を選択的に作動させることにより行うことができるように構成されており，本実施例にあっては，前述の開閉器ｍｃ１，ｍｃ２をいずれも常時開型のものとすると共に，リレーＭＣ１が励磁したときに開閉器ｍｃ１を閉じ，また，リレーＭＣ２が励磁したときに開閉器ｍｃ２を閉じるように構成することで，電磁弁４３やファンモータ６等の圧縮機の構成機器に対する操作電圧の供給を，電源からトランスＴｒ１を介さずに直接行うか，又はトランスＴｒ１によって変圧した後行うかを切り替え可能としている。
【００４５】
〔安全装置〕
カムスイッチ１０によって設定された電圧と，電源より入力された電圧とが不一致のときに，圧縮機の制御装置に対して電源からの電力の供給を停止する前述の安全装置５０は，電源回路Ｒ０，Ｓ０に一次コイルを接続した電圧検出用トランスＴｒ２と，前記電圧検出用トランスＴｒ２の二次コイルを含む回路６３に設けた電圧検出リレー５１，及び前記電圧検出リレー５１により動作する開閉器５２によって構成されており，前記安全装置５０を構成する一方の開閉器である常時閉型の開閉器５２ａを，前記リレーＭＣ１を備えた回路６１に設けると共に，前記開閉器５２を構成する他方の開閉器である常時開型の開閉器５２ｂを，前記リレーＭＣ２を備えた回路６２に設けている。
【００４６】
前述の電圧検出用トランスＴｒ２は，一次側の電圧を１／２に変圧して二次側に出力し，また，前記電圧検出リレー５１は，図示の構成において２００Ｖの電圧を検知して常時閉型の開閉器５２ａを開くと共に，常時開型の開閉器５２ｂを閉じるように構成されている。
【００４７】
以上のように構成された安全装置５０において，電源からの電圧が２００Ｖであり，かつ，カムスイッチの切り替え位置が２００Ｖである場合には，電圧検出用トランスの二次側電圧は１／２の１００Ｖであり，２００Ｖの電圧で作動する電圧検出リレー５１は作動せず，従ってこの電圧検出リレー５１によって作動される開閉器５２も作動しない。また，カムスイッチ１０の１９−２０番接点間が閉じることにより，電源回路Ｒ０，Ｓ０間を連通する回路６１が閉じる。
【００４８】
そのため，前記開閉器５２を構成する常時閉型の開閉器５２ａが設けられた回路６１には，電源からの２００Ｖの電圧が印加されており，この回路に設けたリレーＭＣ１が，励磁されて開閉器ｍｃ１によってトランスＴｒ１をバイパスさせるバイパス回路Ｒ０１，Ｓ０１，Ｔ０１を閉じる。
【００４９】
一方，前記電圧検出用トランスＴｒ２の二次コイルと並列に設けられた回路６２は，カムスイッチ１０の２１−２２番接点間において開いていると共に，常時開型の開閉器５２ｂによっても開かれており，リレーＭＣ２は励磁されずに開閉器ｍｃ２が開いたままの状態を維持し，トランスＴｒ１の入力端子Ｒｉｎ，Ｓｉｎ，Ｔｉｎに接続する回路Ｒ０２，Ｓ０２，Ｔ０２に対する電源Ｒ，Ｓ，Ｔの接続は行われない。
【００５０】
その結果，電磁弁４３やファンモータ６等の圧縮機の構成機器には，電源からの２００Ｖの電圧がトランスＴｒ１による減圧を受けることなくバイパス回路Ｒ０１，Ｓ０１，Ｔ０１を介して直接入力される。
【００５１】
一方，カムスイッチ１０によって設定された電圧が２００Ｖであるにも拘わらず，電源電圧が４００Ｖである場合には，電圧検出用トランスＴｒ２の二次側に設けた電圧検出リレー５１が２００Ｖの電圧を検出して開閉器５２を作動させる。
【００５２】
これにより，リレーＭＣ１が設けられた回路６１は，前記電圧検出リレー５１によって作動された開閉器５２ａによって開かれ，電圧検出リレーＭＣ１に対する通電が停止して，開閉器ｍｃ１が開いてバイパス回路Ｒ０１，Ｓ０１，Ｔ０１を介して圧縮機の構成機器に対する電力の供給が停止する。
【００５３】
一方，電圧検出リレー５１が２００Ｖの電圧を検知することにより，開閉器５２ｂが接点を閉じるが，回路６２はカムスイッチ１０の２１−２２番接点間において未だ開いた状態にあり，開閉器ｍｃ２は回路Ｒ０２，Ｓ０２，Ｔ０２を開いた状態を維持し，トランスＴｒ１に対する電源電圧の入力も行われず，従って，電磁弁４３やファンモータ６等の圧縮機の構成機器に対する操作電圧の出力は行われない。
【００５４】
また，電源からの電圧が４００Ｖであり，カムスイッチ１０によって設定された電圧が４００Ｖである場合には，電圧検出用トランスＴｒ２の二次側電圧は１／２の２００Ｖに減圧され，電圧検出リレー５１がこの２００Ｖの電圧を検出して開閉器５２を作動させる。
【００５５】
この開閉器５２の作動により，前記開閉器５２を構成する一方である常時閉型開閉器５２ａが開き，また、カムスイッチ１０の１９−２０番接点が開くことにより回路６１が開くことから，リレーＭＣ１は励磁されず，トランスＴｒ１のバイパス回路Ｒ０１，Ｓ０１，Ｔ０１を開閉する開閉器ｍｃ１は開いたままの状態となる。
【００５６】
一方，前記電圧検出用トランスＴｒ２の二次コイルと並列に設けられた回路６２は，カムスイッチ１０の２１−２２番接点間が閉じた状態にあり，電圧検出リレー５１によって開閉器５２の他方である常時開型の開閉器５２ｂが閉じられており，リレーＭＣ２は電圧検出用トランスＴｒ２の二次側電圧（２００Ｖ）によって励磁されて，開閉器ｍｃ２が電源回路Ｒ０，Ｓ０，Ｔ０とトランスＴｒ１の入力端子Ｒｉｎ，Ｓｉｎ，Ｔｉｎに接続された回路Ｒ０２，Ｓ０２，Ｔ０２間を閉じ，電磁弁４３やファンモータ６等の圧縮機の構成機器に対して，トランスＴｒ１によって減圧された電圧を印加する。
【００５７】
一方，カムスイッチ１０により４００Ｖの設定が成されているにも拘わらず，電源電圧が２００Ｖである場合には，電圧検出用トランスＴｒ２の二次側電圧が１００Ｖとなり，電圧検出用リレー５１は電圧２００Ｖを検出することができずに開閉器５２が原位置に留まる。
【００５８】
その結果，前記電圧検出用トランスＴｒ２の二次コイルと並列に設けられた回路６２は，開閉器５２ｂによって開かれ，リレーＭＣ２は励磁せず，開閉器ｍｃ２が開いてトランスＴｒ１に対する通電が停止する。
【００５９】
一方，開閉器５２ａは閉じるものの，リレーＭＣ１が設けられた回路６１は，カムスイッチ１０の１９−２０番接点間において開いているために，リレーＭＣ１は励磁せず，開閉器ｍｃ１は開いた状態を維持する。
【００６０】
その結果，電磁弁４３やファンモータ６等の圧縮機の構成機器に対する電力の供給は，バイパス回路Ｒ０１，Ｓ０１，Ｔ０１を介しても，また，トランスＴｒ１を介してもいずれによっても行われない。
【００６１】
このように本発明の複電圧モータ駆動型圧縮機にあっては，入力された電源電圧に応じて安全装置５０の電圧検出リレー５１及び開閉器５２ａ，５２ｂ，リレーＭＣ１，ＭＣ２及び開閉器ｍｃ１，ｍｃ２が作動し，電源より実際に入力されている電圧と，カムスイッチ１０によって設定された電圧とが一致し、検出された電源電圧が本圧縮機の構成機器の定格電圧（２００Ｖ）である場合には，トランスＴｒ１をバイパスして電源電圧がそのまま操作電圧として出力され，また，構成機器の定格電圧とは異なる電源電圧（４００Ｖ）が入力されると，トランスＴｒ１を介して電源電圧が変圧されて操作電圧として出力される。また、電源より実際に入力されている電圧と，カムスイッチ１０によって設定された電圧とが一致しない場合には，圧縮機の制御装置等に対する出力を行わず，圧縮機を始動不能としている。
【００６２】
その結果，圧縮機の制御装置等において要求される電圧とは異なる電圧が印加されることによる破損等を好適に防止することかできる。
【００６３】
以上で説明した，電源電圧とカムスイッチによる設定電圧の組合せ，及びそのときの動作状況を示せば，下表に示す通りである。
【００６４】
【表１】
2008154404.tif 000003
【００６５】
〔実施例２〕
以上，図１を参照して説明した実施例にあっては，トランスＴｒ１の入力側端子Ｒｉｎ，Ｓｉｎ，Ｔｉｎに接続された回路Ｒ０２，Ｓ０２，Ｔ０２の開閉，及びトランスＴｒ１をバイパスするバイパス回路Ｒ０１，Ｓ０１，Ｔ０１の開閉を，リレーＭＣ１，ＭＣ２及びこのリレーＭＣ１，ＭＣ２によって動作される開閉器ｍｃ１，ｍｃ２によって行うように構成した例を説明したが，このリレーＭＣ１，ＭＣ２，及び開閉器ｍｃ１，ｍｃ２の作用を，カムスイッチ１０によって行わせるように構成しても良い。このような構成例を図２に示す。
【００６６】
図１を参照して説明した実施例にあっては，カムスイッチ１０の接点は，１〜２２番迄であったが，実施例１における電圧検出リレーＭＣ１，ＭＣ２の動作をカムスイッチ１０に行わせる本実施形態にあっては，図１を参照して説明したカムスイッチ１０よりも多くの接点を備えたカムスイッチ１０を使用し，図２に示す実施例にあっては，１〜３４番の接点を備えるカムスイッチ１０を使用した。
【００６７】
なお，このカムスイッチ１０の１〜１８番接点に対する接続は，図１を参照して説明した実施例１におけると同様であるため，その説明を省略する。
【００６８】
１９〜３４番接点は，１９，２１，３１，３３番接点を短絡すると共に，２３−２５番接点，２７−２９番接点をそれぞれ短絡した状態で，各接点に対し，下記の通りの接続を行っている。
【００６９】
奇数接点では，２３番及び２５番接点に電源回路Ｓ０が，２７番及び２９番接点に電源回路Ｔ０がそれぞれ接続されている。
【００７０】
偶数接点に対しては，２０番接点にトランスＴｒ１の出力端子Ｒｏｕｔが，２２番接点にトランスＴｒ１の入力端子Ｒｉｎが，２４番接点にトランスＴｒ１の出力接点Ｓｏｕｔが，２６番接点にトランスＴｒ１の入力接点Ｓｉｎが，２８番接点にトランスＴｒ１の出力接点Ｔｏｕｔが，３０番接点にトランスＴｒの入力接点Ｔｉｎが，更に，３２番，３４番接点に開閉器５２を介していずれも電源回路Ｒ０がそれぞれ接続されている。
【００７１】
なお，カムスイッチ１０の各接点は，カムスイッチ１０を２００Ｖのポジションとした場合には，１９−２０番，２３−２４番，２７−２８番，３１−３２番の各接点間がそれぞれ閉じると共に，２１−２２番，２５−２６番，２９−３０番，３３−３４番の接点間が開き，また，４００Ｖのポジションとした場合には前記とは逆に，２１−２２番，２５−２６番，２９−３０番，３３−３４番の各接点間が閉じると共に，１９−２０番，２３−２４番，２７−２８番，３１−３２番の各接点間が開くように構成されている。
【００７２】
なお，前記３２番，３４番接点に対する電源回路Ｒ０の接続は，電源回路Ｒ０からの回路６４を二叉（６４ａ，６４ｂ）に分岐して，カムスイッチ１０の前記３２番，３４番接点にそれぞれ接続すると共に，電圧検出用トランスＴｒ２の二次コイル側の電圧を検知する電圧検出リレー５１によって操作される開閉器５２によって，電源からの電圧が２００Ｖのときには電源回路Ｒ０と３２番接点間の回路６４ａを閉じると共に電源回路Ｒ０と３４番接点間の回路６４ｂを開き，また，電源からの電圧が４００Ｖのときには前記３２番接点との間の回路を開き，３４番接点との間の回路を開く開閉器５２（５２ａ，５２ｂ）を設けている。
【００７３】
以上のように構成された本実施例の電源制御装置１において，カムスイッチ１０の切り替え位置と，電源電圧との関係を説明すれば，下記の通りである。
【００７４】
カムスイッチ１０の図示せざるレバーを操作する等して２００Ｖの位置に設定すると，カムスイッチ１０に設けた１−２，５−６，７−８，１１−１２，１３−１４，１７−１８番接点間が閉じ，これによりモータＭの電機子が並列に接続される。
【００７５】
また，１９−２０番接点間，３１−３２番接点間が閉じることで，トランスＴｒ１の出力端子Ｒｏｕｔが短絡線６５及び回路６４（６４ａ）を介して電源回路Ｒ０に接続されると共に，２３−２４番接点が閉じることで電源Ｓ０とトランスＴｒの出力端子Ｓｏｕｔが，２７−２８番接点間が閉じることにより電源回路Ｔ０がトランスＴｒの出力端子Ｔｏｕｔにそれぞれ接続されている。
【００７６】
以上のようなカムスイッチ１０の切り替え位置において，電源より２００Ｖの電圧が印加されると，電源回路Ｒ０，Ｓ０に一次コイルを接続した電圧検出用トランスＴｒ２によって，該トランスＴｒ２の二次側ではこの電圧は，１／２の１００Ｖの電圧が出力される。
【００７７】
従って，２００Ｖで作動する電圧検出リレー５１は，前記電圧検出用トランスＴｒ２の二次側１００Ｖの電圧によっては作動せず，この電圧検出リレー５１によって開閉される開閉器５２が原位置を維持する。
【００７８】
そのため，電源回路Ｒ０とカムスイッチ１０の３２番接点間の回路６４ａが前記開閉器５２を構成する常時閉型の開閉器５２ａによって閉じると共に，電源回路Ｒ０とカムスイッチ１０の３４番接点間の回路６４ｂが，常時開型の開閉器５２ｂによって開いた状態を維持する。
【００７９】
その結果，電源回路Ｒ０からの電圧が，３１−３２番接点を介してトランスの出力端子Ｒｏｕｔに出力されて，圧縮機の制御機器等に対しては，電源からの２００Ｖの電圧が直接印加される。
【００８０】
一方，前記カムスイッチ１０の切り替え位置を２００Ｖとした状態において，４００Ｖの電源に接続される場合には，電圧検出用トランスＴｒ２によってこの４００Ｖの電圧が１／２の２００Ｖに減圧される。
【００８１】
前記電圧検出用トランスＴｒ２の二次側に設けた，作動電圧を２００Ｖとする電圧検出リレー５１は，この電圧検出用トランスＴｒ２の二次側電圧によって開閉器５２を作動させ，電源回路Ｒ０とカムスイッチ１０の３２番接点間の回路６４ａを開くと共に，電源回路Ｒ０とカムスイッチ１０の３４番接点間の回路６４ｂを閉じる。
【００８２】
また，開閉器５２の動作によって，カムスイッチ１０の３４番接点に対して電源回路Ｒ０の接続が行われるが，カムスイッチ１０の３３−３４番接点間は開いた状態にあるために，トランスＴｒ１の出力端子Ｒｏｕｔに対する電源電圧の出力は行われない。
【００８３】
これにより，前記回路６４ａ，カムスイッチ１０の３１−３２番接点，短絡回路６５及びカムスイッチ１０の１９−２０番接点を介して行われていた電源回路Ｒ０とトランスＴｒ１の出力側端子Ｒｏｕｔ間の通電が断たれ，電磁弁４３やファンモータ６等の圧縮機の構成機器に対する操作電圧は出力されない。
【００８４】
一方，前記カムスイッチ１０の図示せざるレバー等の操作により，カムスイッチ１０のレバー位置を４００Ｖに切り替えると，閉じていた１−２，５−６，７−８，１１−１２，１３−１４，１７−１８番接点が開いて，両接点間の電気的な接続が解除されると共に，３−４，９−１０，１５−１６番接点が閉じ，モータＭに設けた電機子が直列の接続状態に切り替わる。
【００８５】
また，２００Ｖのポジションでは閉じていたカムスイッチ１０の１９−２０，２３−２４，２７−２８，３１−３２番接点間が開き，電源回路Ｒ０，Ｓ０，Ｔ０とトランスＴｒの出力側端子Ｒｏｕｔ，Ｓｏｕｔ，Ｔｏｕｔ間の電気的な接続が解除されると共に，カムスイッチ１０の２５−２６番接点間が閉じることにより電源回路Ｓ０とトランスＴｒ１の入力端子Ｓｉｎが，カムスイッチ１０の２９−３０番接点間が閉じることにより電源回路Ｔ０とトランスＴｒ１の入力端子Ｔｉｎがそれぞれ電気的に接続される。
【００８６】
また，カムスイッチ１０の２１−２２，３３−３４番接点間が閉じることにより，短絡線６６，短絡線６５，短絡線６７，及び開閉器５２ｂを有する回路６４（６４ｂ）を介して，トランスＴｒ１の入力端子Ｒｉｎが電源回路Ｒ０に接続可能に構成されている。
【００８７】
以上のように構成された回路構成において，電源より４００Ｖの電圧が印加されると，電圧検出用トランスＴｒ２によってこの電圧が１／２の２００Ｖに変圧されて二次側に出力される。
【００８８】
この電圧検出用トランスＴｒ２の二次側には，２００Ｖを作動電圧とする電圧検出リレー５１が設けられており，電圧検出用トランスＴｒ２の二次側に２００Ｖの電圧が出力されることで，この電圧検出リレー５１が開閉器５２を作動させ，電源回路Ｒ０と，カムスイッチ１０の３２番接点間を接続する回路６４ａを開くと共に，電源回路Ｒ０とカムスイッチ１０の３４番接点間を接続する回路６４ｂを閉じる。
【００８９】
これにより，電源回路Ｒ０は，カムスイッチ１０の３３−３４番接点，短絡線６７，６５，６６及びカムスイッチ１０の２１−２２番接点を介してトランスＴｒ１の入力端子Ｒｉｎに接続され，トランスＴｒ１の入力端子Ｒｉｎ，Ｓｉｎ，Ｔｉｎに対して，電源回路Ｒ０，Ｓ０，Ｔ０が接続される。
【００９０】
従って，電磁弁４３やファンモータ６等の圧縮機の構成機器に対して出力される電圧は，電源からの４００Ｖの電圧をトランスによって１／２に変圧された後の２００Ｖの電圧となる。
【００９１】
一方，カムスイッチ１０の切り替え位置が，前記４００Ｖの位置にあるときに，２００Ｖの電源電圧に接続した場合には，この電源電圧２００Ｖは，電圧検出用トランスＴｒ２によって１／２の１００Ｖに変圧され，その結果，電圧検出用トランスＴｒ２の二次側に設けた２００Ｖを作動電圧とする電圧検出リレー５１が作動せず，開閉器５２が原位置を維持する。
【００９２】
これにより，電源回路Ｒ０とカムスイッチ１０の３２番接点間を連通する回路６４（６４ａ）は常時閉型の開閉器５２ａによって閉じられているが，カムスイッチ１０の３１−３２番接点間は開いた状態にある。
【００９３】
一方，電源回路Ｒ０とカムスイッチ１０の３４番接点間を接続する回路６４（６４ｂ）は，常時開型の開閉器５２ｂによって開いているため，電源回路Ｒ０とカムスイッチ１０の３４番接点間の接続は断たれた状態にある。
【００９４】
従って，トランスＴｒ１の入力端子Ｒｉｎに対し，電源回路Ｒ０の接続は行われず，その結果，電磁弁４３やファンモータ６等の圧縮機の構成機器に対する電力の供給は行われない。
【００９５】
以上説明したカムスイッチ１０の切り替え位置と，電源電圧との対応関係を表に示せば下表の通りである。
【００９６】
【表２】
2008154404.tif 000004
【００９７】
以上説明した構成により，本発明の電源制御装置を備えた複電圧型モータ駆動圧縮機にあっては，カムスイッチのハンドルの操作で簡単に圧縮機の定格電圧を切り替えることができ，仮に電源端子台に接続された電源電圧とカムスイッチで切り替えた定格電圧とが一致しないときには圧縮機制御装置への送電を停止することから，違電圧が圧縮機制御装置に送電されず，これにより始動盤の第１〜第３電磁開閉器及びファンモータの電磁接触器が作動せずに圧縮機モータ，ファンモータなどへ送電されず，これら機器の破損を防止することができる。
【００９８】
また，前述した実施例の構成にあっては，実施例１の構成に比較して，２個の三相電磁開閉器ｍｃ１，ｍｃ２を使用する必要がなく，カムスイッチ１０の接点数を増やした簡単な構成とすることができる。
【図面の簡単な説明】
【００９９】
【図１】本発明の駆動制御装置の回路構成図。
【図２】本発明の別の駆動制御装置の回路構成図。
【図３】モータ駆動圧縮機の全体構成を示す説明図。
【図４】従来の駆動制御装置における三相２００Ｖの結線状態を示し，（Ａ）は回路構成，（Ｂ）はモータ用端子台，（Ｃ）はトランス用端子台の構成をそれぞれ示す。
【図５】従来の駆動制御装置における三相４００Ｖの結線状態を示し，（Ａ）は回路構成，（Ｂ）はモータ用端子台，（Ｃ）はトランス用端子台の構成をそれぞれ示す。
【図６】従来の制御方法（特許文献１）の概略説明図。
【符号の説明】
【０１００】
１  駆動制御装置
２  圧縮機本体
３  レシーバタンク
４０  吸入制御装置
４１  吸入弁
４２  管路
４３  電磁弁
５  オイルクーラ
６  ファンモータ
１０  カムスイッチ
３０  電源
５０  安全装置
５１  電圧検出リレー
５２  開閉器
５２ａ  開閉器（常時閉型）
５２ｂ  開閉器（常時開型）
６１，６２，６３，６４（６４ａ，６４ｂ）  回路
６５，６６，６７  短絡線
７１  第１の電磁開閉器（始動制御用）
７２  第２の電磁開閉器（始動制御用）
７３  第３の電磁開閉器（始動制御用）
Ｒ０，Ｓ０，Ｔ０  電源回路
ｒ０，ｓ０，ｔ０  端子（電源回路Ｒ０，Ｓ０，Ｔ０の）
Ｒ０１，Ｓ０１，Ｔ０１  バイパス回路
Ｒ０２，Ｓ０２，Ｔ０２  回路
Ｔｒ１  トランス（操作電圧変圧用）
Ｔｒ２  圧力検出用トランス
Ｕ，Ｖ，Ｗ，Ｕ２，Ｖ２，Ｗ２  モータの電機子（回転子）
ｕ１，ｖ１，ｗ１，ｕ２，ｖ２，ｗ２  端子（電機子の）
Ｙ１，Ｚ１，Ｘ１，Ｙ２，Ｚ２，Ｘ２  モータの電機子（固定子）
ｙ１，ｚ１，ｘ１，ｙ２，ｚ２，ｘ２  端子（電機子の）
Ｒｉｎ，Ｓｉｎ，Ｔｉｎ  入力端子（トランスＴｒ１の）
Ｒｏｕｔ，Ｓｏｕｔ，Ｔｏｕｔ  出力端子（トランスＴｒ１の）
Ｍ  モータ
ＭＣ１，ＭＣ２  電圧検出リレー
ｍｃ１，ｍｃ２  開閉器（三路用）
【図１】
2008154404.tif 000005
【図２】
2008154404.tif 000006
【図３】
2008154404.tif 000007
【図４】
2008154404.tif 000008
【図５】
2008154404.tif 000009
【図６】
2008154404.tif 000010